【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
所定の放送信号を、所定の付加情報とともに送信する送信方法であって、
前記放送信号に関連する関連データを入手するために必要な入手情報を配置して、前記付加情報を構成する構成ステップと、
前記放送信号を送信するとともに、その送信を行っている間に、その放送信号に関連する前記関連データについての前記入手情報が配置された前記付加情報を複数回送信する送信ステップと
を備えることを特徴とする送信方法。
【請求項２】
前記送信ステップにおいて、前記入手情報が配置された前記付加情報を、周期的に送信する
ことを特徴とする請求項１に記載の送信方法。
【請求項３】
前記付加情報に、誤り検出または誤り訂正のための処理を施す誤り検出／訂正処理ステップをさらに備える
ことを特徴とする請求項１に記載の送信方法。
【請求項４】
前記送信ステップにおいて、前記付加情報を、前記誤り検出または誤り訂正のための処理が施された単位で送信する
ことを特徴とする請求項３に記載の送信方法。
【請求項５】
前記入手情報は、前記関連データに固有に付されたユニークな固有情報を含む
ことを特徴とする請求項１に記載の送信方法。
【請求項６】
前記入手情報は、前記関連データの内容を認識するのに役立つ認識情報を含む
ことを特徴とする請求項１に記載の送信方法。
【請求項７】
前記入手情報は、前記関連データを提供している提供場所にアクセスするのに用いられるアクセス情報を含む
ことを特徴とする請求項１に記載の送信方法。
【請求項８】
前記付加情報が所定の単位で送信される場合において、
前記所定の単位の付加情報には、１の前記入手情報が含まれる
ことを特徴とする請求項１に記載の送信方法。
【請求項９】
前記放送信号として、所定の画像データまたは音声データが送信される場合において、
前記関連データは、その画像データまたは音声データである
ことを特徴とする請求項１に記載の送信方法。
【請求項１０】
前記放送信号として、所定のコンピュータプログラムが実行されることにより得られる画像データまたは音声データが送信される場合において、
前記関連データは、そのコンピュータプログラムである
ことを特徴とする請求項１に記載の送信方法。
【請求項１１】
前記構成ステップにおいて、前記入手情報の他、前記関連データの内容を認識するのに役立つ情報も配置して前記付加情報を構成する
ことを特徴とする請求項１に記載の送信方法。
【請求項１２】
前記構成ステップにおいて、前記入手情報の他、前記関連データも配置して前記付加情報を構成する
ことを特徴とする請求項１に記載の送信方法。
【請求項１３】
前記付加情報に配置される前記関連データは暗号化されている
ことを特徴とする請求項１２に記載の送信方法。
【請求項１４】
前記放送信号が、第１の信号に、第２の信号を重畳したものである
ことを特徴とする請求項１に記載の送信方法。
【請求項１５】
前記第１の信号は、所定の画像または音声であり、
前記第２の信号は、その画像または音声以外の雑音である
ことを特徴とする請求項１４に記載の送信方法。
【請求項１６】
前記構成ステップにおいて、前記入手情報の他、前記第２の信号も配置して前記付加情報を構成する
ことを特徴とする請求項１４に記載の送信方法。
【請求項１７】
前記付加情報に配置される前記第２の信号は暗号化されている
ことを特徴とする請求項１６に記載の送信方法。
【請求項１８】
前記第１の信号は、第１の画像または音声であり、
前記第２の信号は、第２の画像または音声であり、
前記放送信号において、前記第１の画像または音声と、前記第２の画像または音声との一部が、時間的にオーバラップしている
ことを特徴とする請求項１４に記載の送信方法。
【請求項１９】
前記第１の画像または音声が時間的に先行して送信され、前記第２の画像または音声が時間的に後行して送信される場合において、
前記第１の画像または音声の終わりの部分と、前記第２の画像または音声の最初の部分とがオーバラップしている
ことを特徴とする請求項１８に記載の送信方法。
【請求項２０】
前記第１の画像または音声と、前記第２の画像または音声との一部がオーバラップしている部分の時間幅が可変とされている
ことを特徴とする請求項１８に記載の送信方法。
【請求項２１】
前記構成ステップにおいて、前記第１の画像または音声と、前記第２の画像または音声との一部がオーバラップしている部分の時間幅を、前記付加情報に含める
ことを特徴とする請求項１８に記載の送信方法。
【請求項２２】
前記構成ステップにおいて、前記入手情報の他、オーバラップしている部分の前記第１の画像若しくは音声、または前記第２の画像若しくは音声も配置して前記付加情報を構成する
ことを特徴とする請求項１８に記載の送信方法。
【請求項２３】
前記送信ステップにおいて、オーバラップしている部分の前記第１の画像若しくは音声、または前記第２の画像若しくは音声が配置された前記付加情報を、前記第１の画像若しくは音声に対応する前記放送信号、または前記第２の画像若しくは音声に対応する放送信号のうちのいずれか一方、またはそれぞれとともに送信する
ことを特徴とする請求項２２に記載の送信方法。
【請求項２４】
前記付加情報に配置される、オーバラップしている部分の前記第１の画像若しくは音声、または前記第２の画像若しくは音声は暗号化されている
ことを特徴とする請求項２２に記載の送信方法。
【請求項２５】
前記関連データを、第１の成分と第２の成分とに分割する分割ステップをさらに備え、
前記送信ステップにおいて、前記第１の成分を、前記放送信号として送信する  ことを特徴とする請求項１に記載の送信方法。
【請求項２６】
前記構成ステップにおいて、前記入手情報の他、前記第２の成分も配置して前記付加情報を構成する
ことを特徴とする請求項２５に記載の送信方法。
【請求項２７】
前記付加情報に配置される前記第２の成分は暗号化されている
ことを特徴とする請求項２６に記載の送信方法。
【請求項２８】
前記関連データは、画像データまたは音声データであり、  前記第１の成分は、前記画像データまたは音声データの低域成分または上位ビットであり、
前記第２の成分は、前記画像データまたは音声データの高域成分または下位ビットである
ことを特徴とする請求項２５に記載の送信方法。
【請求項２９】
前記入手情報は、前記関連データを記憶しているデータベースにアクセスするのに用いられるアクセス情報を含む
ことを特徴とする請求項１に記載の送信方法。
【請求項３０】
前記入手情報は、前記アクセス情報の他、前記関連データに固有に付されたユニークな固有情報を含む
ことを特徴とする請求項２９に記載の送信方法。
【請求項３１】
前記固有情報は、ＩＳＲＣ（International Standard Recoding Code）である
ことを特徴とする請求項３０に記載の送信方法。
【請求項３２】
前記構成ステップにおいて、前記放送信号が曲の放送番組のものである場合に、前記曲の曲名、前記曲を歌っている歌手の歌手名、前記曲が記録された記録媒体の制作会社の会社名、前記記録媒体のジャケット写真、前記歌手の写真、または前記記録媒体に記録された前記曲の一部を、前記付加情報に含める
ことを特徴とする請求項１に記載の送信方法。
【請求項３３】
前記構成ステップにおいて、前記放送信号が所定の画像または音声である場合に、その画像または音声の広告または宣伝のための情報を、前記付加情報に含める
ことを特徴とする請求項１に記載の送信方法。
【請求項３４】
所定の放送信号を、所定の付加情報とともに送信する送信装置であって、
前記放送信号に関連する関連データを入手するために必要な入手情報を配置して、前記付加情報を構成する構成手段と、
前記放送信号を送信するとともに、その送信を行っている間に、その放送信号に関連する前記関連データについての前記入手情報が配置された前記付加情報を複数回送信する送信手段と
を備えることを特徴とする送信装置。
【請求項３５】
前記付加情報に、誤り検出または誤り訂正のための処理を施す誤り検出／訂正処理手段をさらに備える
ことを特徴とする請求項３４に記載の送信装置。
【請求項３６】
前記送信手段において、前記付加情報を、前記誤り検出または誤り訂正のための処理が施された単位で送信する
ことを特徴とする請求項３５に記載の送信装置。
【請求項３７】
前記送信手段は、前記入手情報が配置された前記付加情報を、周期的に送信する
ことを特徴とする請求項３４に記載の送信装置。
【請求項３８】
前記入手情報は、前記関連データに固有に付されたユニークな固有情報を含む
ことを特徴とする請求項３４に記載の送信装置。
【請求項３９】
前記入手情報は、前記関連データの内容を認識するのに役立つ認識情報を含む
ことを特徴とする請求項３４に記載の送信装置。
【請求項４０】
前記入手情報は、前記関連データを提供している提供場所にアクセスするのに用いられるアクセス情報を含む
ことを特徴とする請求項３４に記載の送信装置。
【請求項４１】
前記放送信号として、所定の画像データまたは音声データが送信される場合において、
前記関連データは、その画像データまたは音声データである
ことを特徴とする請求項３４に記載の送信装置。
【請求項４２】
前記放送信号として、所定のコンピュータプログラムが実行されることにより得られる画像データまたは音声データが送信される場合において、
前記関連データは、そのコンピュータプログラムである
ことを特徴とする請求項３４に記載の送信装置。
【請求項４３】
前記構成手段は、前記入手情報の他、前記関連データの内容を認識するのに役立つ情報も配置して前記付加情報を構成する
ことを特徴とする請求項３４に記載の送信装置。
【請求項４４】
前記構成手段は、前記入手情報の他、前記関連データも配置して前記付加情報を構成する
ことを特徴とする請求項３４に記載の送信装置。
【請求項４５】
前記付加情報に配置される前記関連データは暗号化されている
ことを特徴とする請求項４４に記載の送信装置。
【請求項４６】
前記放送信号が、第１の信号に、第２の信号を重畳したものである
ことを特徴とする請求項３４に記載の送信装置。
【請求項４７】
前記構成手段は、前記入手情報の他、前記第２の信号も配置して前記付加情報を構成する
ことを特徴とする請求項４６に記載の送信装置。
【請求項４８】
前記付加情報に配置される前記第２の信号は暗号化されている
ことを特徴とする請求項４７に記載の送信装置。
【請求項４９】
前記第１の信号は、第１の画像または音声であり、
前記第２の信号は、第２の画像または音声であり、
前記放送信号において、前記第１の画像または音声と、前記第２の画像または音声との一部が、時間的にオーバラップしている
ことを特徴とする請求項４６に記載の送信装置。
【請求項５０】
前記構成手段は、前記入手情報の他、オーバラップしている部分の前記第１の画像若しくは音声、または前記第２の画像若しくは音声も配置して前記付加情報を構成する
ことを特徴とする請求項４９に記載の送信装置。
【請求項５１】
前記送信手段は、オーバラップしている部分の前記第１の画像若しくは音声、または前記第２の画像若しくは音声が配置された前記付加情報を、前記第１の画像若しくは音声に対応する前記放送信号、または前記第２の画像若しくは音声に対応する前記放送信号のうちのいずれか一方、またはそれぞれとともに送信する
ことを特徴とする請求項５０に記載の送信装置。
【請求項５２】
前記付加情報に配置される、オーバラップしている部分の前記第１の画像若しくは音声、または前記第２の画像若しくは音声は暗号化されている
ことを特徴とする請求項５１に記載の送信装置。
【請求項５３】
前記関連データを、第１の成分と第２の成分とに分割する分割手段をさらに備え、
前記送信手段は、前記第１の成分を、前記放送信号として送信する
ことを特徴とする請求項３４に記載の送信装置。
【請求項５４】
前記構成手段は、前記入手情報の他、前記第２の成分も配置して前記付加情報を構成する
ことを特徴とする請求項５３に記載の送信装置。
【請求項５５】
前記付加情報に配置される前記第２の成分は暗号化されている
ことを特徴とする請求項５４に記載の送信装置。
【請求項５６】
前記関連データは、画像データまたは音声データであり、  前記第１の成分は、前記画像データまたは音声データの低域成分または上位ビットであり、
前記第２の成分は、前記画像データまたは音声データの高域成分または下位ビットである
ことを特徴とする請求項５３に記載の送信装置。
【請求項５７】
前記入手情報は、前記関連データを記憶しているデータベースにアクセスするのに用いられるアクセス情報を含む
ことを特徴とする請求項３４に記載の送信装置。
【請求項５８】
所定の放送信号と、その放送信号に関連する関連データを入手するために必要な入手情報が配置された付加情報とを受信する受信方法であって、
前記放送信号および付加情報を受信する受信ステップと、
所定の入力があった場合に、前記付加情報に配置された前記入手情報を記憶する入手情報記憶ステップと
を備えることを特徴とする受信方法。
【請求項５９】
前記付加情報に、誤り検出または誤り訂正処理を施す誤り検出／訂正処理ステップをさらに備える
ことを特徴とする請求項５８に記載の受信方法。
【請求項６０】
前記受信ステップにおいて受信された前記放送信号を一時記憶する一時記憶ステップをさらに備える
ことを特徴とする請求項５８に記載の受信方法。
【請求項６１】
前記受信ステップにおいて受信された前記付加情報を一時記憶する一時記憶ステップをさらに備える
ことを特徴とする請求項５８に記載の受信方法。
【請求項６２】
前記一時記憶ステップにおいて、前記受信ステップで新たな付加情報が受信されるごとに、その記憶内容を、新たに受信された付加情報に更新する
ことを特徴とする請求項６１に記載の受信方法。
【請求項６３】
前記放送信号に関連する前記関連データについての前記入手情報が配置された前記付加情報は、その放送信号が送信されてくる間に、複数回送信されてくる
ことを特徴とする請求項５８に記載の受信方法。
【請求項６４】
前記付加情報は、周期的に送信されてくる
ことを特徴とする請求項６３に記載の受信方法。
【請求項６５】
前記入手情報記憶ステップにおいて、複数回送信されてくる前記付加情報のうち、前記所定の入力があった場合におけるものに配置された前記入手情報を記憶する
ことを特徴とする請求項６３に記載の受信方法。
【請求項６６】
前記入手情報は、前記関連データに固有に付されたユニークな固有情報を含む
ことを特徴とする請求項５８に記載の受信方法。
【請求項６７】
前記入手情報は、前記関連データの内容を認識するのに役立つ認識情報を含む
ことを特徴とする請求項５８に記載の受信方法。
【請求項６８】
前記入手情報は、前記関連データを提供している提供場所にアクセスするのに用いられるアクセス情報を含む
ことを特徴とする請求項５８に記載の受信方法。
【請求項６９】
前記入手情報を出力する出力ステップをさらに備える
ことを特徴とする請求項５８に記載の受信方法。
【請求項７０】
前記放送信号として、所定の画像データまたは音声データが送信される場合において、
前記関連データは、その画像データまたは音声データである
ことを特徴とする請求項５８に記載の受信方法。
【請求項７１】
前記放送信号として、所定のコンピュータプログラムが実行されることにより得られる画像データまたは音声データが送信される場合において、
前記関連データは、そのコンピュータプログラムである
ことを特徴とする請求項５８に記載の受信方法。
【請求項７２】
前記付加情報には、前記入手情報の他、前記関連データの内容を認識するのに役立つ情報も配置されている
ことを特徴とする請求項５８に記載の受信方法。
【請求項７３】
前記関連データの内容を認識するのに役立つ情報を出力する出力ステップをさらに備える
ことを特徴とする請求項７２に記載の受信方法。
【請求項７４】
前記付加情報には、前記入手情報の他、前記関連データも配置されている
ことを特徴とする請求項５８に記載の受信方法。
【請求項７５】
前記所定の入力があった場合に、前記付加情報に配置された前記関連データを記憶する関連データ記憶ステップをさらに備える
ことを特徴とする請求項７４に記載の受信方法。
【請求項７６】
前記付加情報に配置された前記関連データは暗号化されている
ことを特徴とする請求項７５に記載の受信方法。
【請求項７７】
前記入手情報に基づいて、前記関連データを復号するための復号キーを取得する取得ステップをさらに備える
ことを特徴とする請求項７６に記載の受信方法。
【請求項７８】
前記復号キーに基づいて、前記関連データを復号する復号ステップをさらに備える
ことを特徴とする請求項７７に記載の受信方法。
【請求項７９】
前記関連データが所定のデータベースに記憶されている場合において、
前記入手情報に基づいて、前記データベースに記憶された前記関連データを取得する取得ステップをさらに備える
ことを特徴とする請求項５８に記載の受信方法。
【請求項８０】
前記取得ステップにおいて、前記データベースに記憶された前記関連データが暗号化されている場合には、前記関連データを復号するための復号キーも取得する
ことを特徴とする請求項７９に記載の受信方法。
【請求項８１】
前記復号キーに基づいて、前記関連データを復号する復号ステップをさらに備える
ことを特徴とする請求項８０に記載の受信方法。
【請求項８２】
前記放送信号が、第１の信号に、第２の信号を重畳したものである
ことを特徴とする請求項５８に記載の受信方法。
【請求項８３】
前記付加情報には、前記第２の信号も配置されている
ことを特徴とする請求項８２に記載の受信方法。
【請求項８４】
前記付加情報に配置された前記第２の信号は暗号化されている
ことを特徴とする請求項８３に記載の受信方法。
【請求項８５】
前記入手情報に基づいて、前記第２の信号を復号するための復号キーを取得する取得ステップをさらに備える
ことを特徴とする請求項８４に記載の受信方法。
【請求項８６】
前記復号キーに基づいて、前記第２の信号を復号する復号ステップをさらに備える
ことを特徴とする請求項８５に記載の受信方法。
【請求項８７】
前記放送信号と、前記第２の信号とを用いて、前記関連データを生成する生成ステップをさらに備える
ことを特徴とする請求項８６に記載の受信方法。
【請求項８８】
前記第１の信号は、第１の画像または音声であり、
前記第２の信号は、第２の画像または音声であり、
前記放送信号において、前記第１の画像または音声と、前記第２の画像または音声との一部が、時間的にオーバラップしている
ことを特徴とする請求項８２に記載の受信方法。
【請求項８９】
前記付加情報には、オーバラップしている部分の前記第１の画像若しくは音声、または前記第２の画像若しくは音声も配置されている
ことを特徴とする請求項８８に記載の受信方法。
【請求項９０】
前記付加情報に配置された、オーバラップしている部分の前記第１の画像若しくは音声、または前記第２の画像若しくは音声は暗号化されている
ことを特徴とする請求項８９に記載の受信方法。
【請求項９１】
前記入手情報に基づいて、オーバラップしている部分の前記第１の画像若しくは音声、または前記第２の画像若しくは音声を復号するための復号キーを取得する取得ステップをさらに備える
ことを特徴とする請求項９０に記載の受信方法。
【請求項９２】
前記復号キーに基づいて、オーバラップしている部分の前記第１の画像若しくは音声、または前記第２の画像若しくは音声を復号する復号ステップをさらに備える
ことを特徴とする請求項９１に記載の受信方法。
【請求項９３】
前記放送信号と、オーバラップしている部分の前記第１の画像若しくは音声、または前記第２の画像若しくは音声とを用いて、前記関連データを生成する生成ステップをさらに備える
ことを特徴とする請求項９２に記載の受信方法。
【請求項９４】
前記関連データが、第１の成分と第２の成分とに分割され、そのうちの前記第１の成分が、前記放送信号として送信されてくる
ことを特徴とする請求項５８に記載の受信方法。
【請求項９５】
前記付加情報には、前記第２の成分も配置されている
ことを特徴とする請求項９４に記載の受信方法。
【請求項９６】
前記付加情報に配置された前記第２の成分は暗号化されている
ことを特徴とする請求項９５に記載の受信方法。
【請求項９７】
前記入手情報に基づいて、前記第２の成分を復号するための復号キーを取得する取得ステップをさらに備える
ことを特徴とする請求項９６に記載の受信方法。
【請求項９８】
前記復号キーに基づいて、前記第２の成分を復号する復号ステップをさらに備える
ことを特徴とする請求項９７に記載の受信方法。
【請求項９９】
前記放送信号と、前記第２の信号とを用いて、前記関連データを生成する生成ステップをさらに備える
ことを特徴とする請求項９８に記載の受信方法。
【請求項１００】
前記関連データは、画像データまたは音声データであり、
前記第１の成分は、前記画像データまたは音声データの低域成分または上位ビットであり、
前記第２の成分は、前記画像データまたは音声データの高域成分または下位ビットである
ことを特徴とする請求項９４に記載の受信方法。
【請求項１０１】
所定の放送信号と、その放送信号に関連する関連データを入手するために必要な入手情報が配置された付加情報とを受信する受信装置であって、
前記放送信号および付加情報を受信する受信手段と、
所定の入力があった場合に、前記付加情報に配置された前記入手情報を記憶する入手情報記憶手段と
を備えることを特徴とする受信装置。
【請求項１０２】
前記付加情報に、誤り検出または誤り訂正処理を施す誤り検出／訂正処理手段をさらに備える
ことを特徴とする請求項１０１に記載の受信装置。
【請求項１０３】
前記受信手段で受信された前記放送信号を一時記憶する一時記憶手段をさらに備える
ことを特徴とする請求項１０１に記載の受信装置。
【請求項１０４】
前記受信手段で受信された前記付加情報を一時記憶する一時記憶手段をさらに備える
ことを特徴とする請求項１０１に記載の受信装置。
【請求項１０５】
前記一時記憶手段は、前記受信手段で新たな付加情報が受信されるごとに、その記憶内容を、新たに受信された付加情報に更新する
ことを特徴とする請求項１０４に記載の受信装置。
【請求項１０６】
前記放送信号に関連する前記関連データについての前記入手情報が配置された前記付加情報は、その放送信号が送信されてくる間に、複数回送信されてくる
ことを特徴とする請求項１０１に記載の受信装置。
【請求項１０７】
前記付加情報は、周期的に送信されてくる
ことを特徴とする請求項１０６に記載の受信装置。
【請求項１０８】
前記入手情報記憶手段は、複数回送信されてくる前記付加情報のうち、前記所定の入力があった場合におけるものに配置された前記入手情報を記憶する
ことを特徴とする請求項１０６に記載の受信装置。
【請求項１０９】
前記入手情報は、前記関連データに固有に付されたユニークな固有情報を含む
ことを特徴とする請求項１０１に記載の受信装置。
【請求項１１０】
前記入手情報は、前記関連データの内容を認識するのに役立つ認識情報を含む
ことを特徴とする請求項１０１に記載の受信装置。
【請求項１１１】
前記入手情報は、前記関連データを提供している提供場所にアクセスするのに用いられるアクセス情報を含む
ことを特徴とする請求項１０１に記載の受信装置。
【請求項１１２】
前記入手情報を出力する出力手段をさらに備える
ことを特徴とする請求項１０１に記載の受信装置。
【請求項１１３】
前記放送信号として、所定の画像データまたは音声データが送信される場合において、
前記関連データは、その画像データまたは音声データである
ことを特徴とする請求項１０１に記載の受信装置。
【請求項１１４】
前記放送信号として、所定のコンピュータプログラムが実行されることにより得られる画像データまたは音声データが送信される場合において、
前記関連データは、そのコンピュータプログラムである
ことを特徴とする請求項１０１に記載の受信装置。
【請求項１１５】
前記付加情報には、前記入手情報の他、前記関連データの内容を認識するのに役立つ情報も配置されている
ことを特徴とする請求項１０１に記載の受信装置。
【請求項１１６】
前記関連データの内容を認識するのに役立つ情報を出力する出力手段をさらに備える
ことを特徴とする請求項１１５に記載の受信装置。
【請求項１１７】
前記付加情報には、前記入手情報の他、前記関連データも配置されている
ことを特徴とする請求項１０１に記載の受信装置。
【請求項１１８】
前記所定の入力があった場合に、前記付加情報に配置された前記関連データを記憶する関連データ記憶手段をさらに備える
ことを特徴とする請求項１１７に記載の受信装置。
【請求項１１９】
前記付加情報に配置された前記関連データは暗号化されている
ことを特徴とする請求項１１８に記載の受信装置。
【請求項１２０】
前記入手情報に基づいて、前記関連データを復号するための復号キーを取得する取得手段をさらに備える
ことを特徴とする請求項１１９に記載の受信装置。
【請求項１２１】
前記復号キーに基づいて、前記関連データを復号する復号手段をさらに備える
ことを特徴とする請求項１２０に記載の受信装置。
【請求項１２２】
前記関連データが所定のデータベースに記憶されている場合において、
前記入手情報に基づいて、前記データベースに記憶された前記関連データを取得する取得手段をさらに備える
ことを特徴とする請求項１０１に記載の受信装置。
【請求項１２３】
前記取得手段は、前記データベースに記憶された前記関連データが暗号化されている場合には、前記関連データを復号するための復号キーも取得する
ことを特徴とする請求項１２２に記載の受信装置。
【請求項１２４】
前記復号キーに基づいて、前記関連データを復号する復号手段をさらに備える
ことを特徴とする請求項１２３に記載の受信装置。
【請求項１２５】
前記放送信号が、第１の信号に、第２の信号を重畳したものである
ことを特徴とする請求項１０１に記載の受信装置。
【請求項１２６】
前記付加情報には、前記第２の信号も配置されている
ことを特徴とする請求項１２５に記載の受信装置。
【請求項１２７】
前記付加情報に配置された前記第２の信号は暗号化されている
ことを特徴とする請求項１２６に記載の受信装置。
【請求項１２８】
前記入手情報に基づいて、前記第２の信号を復号するための復号キーを取得する取得手段をさらに備える
ことを特徴とする請求項１２７に記載の受信装置。
【請求項１２９】
前記復号キーに基づいて、前記第２の信号を復号する復号手段をさらに備える
ことを特徴とする請求項１２８に記載の受信装置。
【請求項１３０】
前記放送信号と、前記第２の信号とを用いて、前記関連データを生成する生成手段をさらに備える
ことを特徴とする請求項１２９に記載の受信装置。
【請求項１３１】
前記第１の信号は、第１の画像または音声であり、
前記第２の信号は、第２の画像または音声であり、
前記放送信号において、前記第１の画像または音声と、前記第２の画像または音声との一部が、時間的にオーバラップしている
ことを特徴とする請求項１２５に記載の受信装置。
【請求項１３２】
前記付加情報には、オーバラップしている部分の前記第１の画像若しくは音声、または前記第２の画像若しくは音声も配置されている
ことを特徴とする請求項１３１に記載の受信装置。
【請求項１３３】
前記付加情報に配置された、オーバラップしている部分の前記第１の画像若しくは音声、または前記第２の画像若しくは音声は暗号化されている
ことを特徴とする請求項１３２に記載の受信装置。
【請求項１３４】
前記入手情報に基づいて、オーバラップしている部分の前記第１の画像若しくは音声、または前記第２の画像若しくは音声を復号するための復号キーを取得する取得手段をさらに備える
ことを特徴とする請求項１３３に記載の受信装置。
【請求項１３５】
前記復号キーに基づいて、オーバラップしている部分の前記第１の画像若しくは音声、または前記第２の画像若しくは音声を復号する復号手段をさらに備える
ことを特徴とする請求項１３４に記載の受信装置。
【請求項１３６】
前記放送信号と、オーバラップしている部分の前記第１の画像若しくは音声、または前記第２の画像若しくは音声とを用いて、前記関連データを生成する生成手段をさらに備える
ことを特徴とする請求項１３５に記載の受信装置。
【請求項１３７】
前記関連データが、第１の成分と第２の成分とに分割され、そのうちの前記第１の成分が、前記放送信号として送信されてくる
ことを特徴とする請求項１０１に記載の受信装置。
【請求項１３８】
前記付加情報には、前記第２の成分も配置されている
ことを特徴とする請求項１３７に記載の受信装置。
【請求項１３９】
前記付加情報に配置された前記第２の成分は暗号化されている
ことを特徴とする請求項１３８に記載の受信装置。
【請求項１４０】
前記入手情報に基づいて、前記第２の成分を復号するための復号キーを取得する取得手段をさらに備える
ことを特徴とする請求項１３９に記載の受信装置。
【請求項１４１】
前記復号キーに基づいて、前記第２の成分を復号する復号手段をさらに備える
ことを特徴とする請求項１４０に記載の受信装置。
【請求項１４２】
前記放送信号と、前記第２の信号とを用いて、前記関連データを生成する生成手段をさらに備える
ことを特徴とする請求項１４１に記載の受信装置。
【請求項１４３】
前記関連データは、画像データまたは音声データであり、
前記第１の成分は、前記画像データまたは音声データの低域成分または上位ビットであり、
前記第２の成分は、前記画像データまたは音声データの高域成分または下位ビットである
ことを特徴とする請求項１３７に記載の受信装置。
【請求項１４４】
所定の放送信号を、所定の付加情報とともに送信する送信装置と、前記放送信号を、前記付加情報とともに受信する受信装置とからなる伝送システムの伝送方法であって、
前記送信装置は、
前記放送信号に関連する関連データを入手するために必要な入手情報を配置して、前記付加情報を構成する構成ステップと、
前記放送信号を送信するとともに、その送信を行っている間に、その放送信号に関連する前記関連データについての前記入手情報が配置された前記付加情報を複数回送信する送信ステップと
を備え、
前記受信装置は、
前記放送信号および付加情報を受信する受信ステップと、
所定の入力があった場合に、前記付加情報に配置された前記入手情報を記憶する入手情報記憶ステップと
を備える
ことを特徴とする伝送方法。
【請求項１４５】
所定の放送信号を、所定の付加情報とともに送信する送信装置と、前記放送信号を、前記付加情報とともに受信する受信装置とからなる伝送システムであって、
前記送信装置は、
前記放送信号に関連する関連データを入手するために必要な入手情報を配置して、前記付加情報を構成する構成手段と、
前記放送信号を送信するとともに、その送信を行っている間に、その放送信号に関連する前記関連データについての前記入手情報が配置された前記付加情報を複数回送信する送信手段と
を備え、
前記受信装置は、
前記放送信号および付加情報を受信する受信手段と、
所定の入力があった場合に、前記付加情報に配置された前記入手情報を記憶する入手情報記憶手段と
を備える
ことを特徴とする伝送システム。
【手続補正２】
【補正対象書類名】明細書
【補正対象項目名】００２５
【補正方法】変更
【補正の内容】
【００２５】
請求項１０１に記載の受信装置は、所定の放送信号と、その放送信号に関連する関連データを入手するために必要な入手情報が配置された付加情報とを受信する受信装置であって、放送信号および付加情報を受信する受信手段（例えば、図５に示すディジタルラジオチューナ２２など）と、所定の入力があった場合に、付加情報に配置された入手情報を記憶する入手情報記憶手段（例えば、図９に示すストレージ６４など）とを備えることを特徴とする。